(57)【特許請求の範囲】
【請求項１】
流体操作ドライブと、前記流体操作ドライブにより駆動される回転ツールエレメントと、前記流体操作ドライブを収容するハウジングと、前記ハウジングに回転不能に接続された非回転ツールエレメントと、中間エレメントと、前記ハウジングに回転不能に接続されたソケットを備え、
前記非回転ツールエレメントは、ねじ込みコネクタと非回転で連結するねじとして形成された第１の連結手段を備え、
前記回転ツールエレメントは、前記非回転ツールエレメントと連結するねじとして形成された第２の連結手段を備えてねじ込みコネクタの軸の周囲を自在に回転でき、
前記中間エレメントは、前記の非回転ツールエレメントに係合してこれを非回転に保持すると共に、回転ツールエレメントを中間エレメントに対して回転自在に保持し、
前記ソケットは、前記中間エレメントと非回転で連結する第３の連結手段を備え、
しかも、前記の回転ツールエレメント、非回転ツールエレメント、中間エレメント及びソケットがすべて同軸であって、
前記流体操作ドライブによって回転ツールエレメントが前記の軸の周りを回転し、前記の非回転ツールエレメントが前記中間エレメント及びハウジングに連結されたソケットを介して非回転に保持された際に、前記の非回転ツールエレメントだけが軸方向に動くことで、ねじ込みコネクタを軸方向に変位させるねじ込みコネクタの伸張並びに弛緩用流体操作ツール。
【請求項２】
前記非回転ツールエレメントが、内側スリーブとして形成され、この内側スリーブは、その内面に、ねじ込みコネクタの外面と連結する前記第１の連結手段を備える共に、前記中間エレメントを非回転で連結する第４の連結手段を備えた第１外面と、第２外面を有し、前記回転ツールエレメントが、外側スリーブとして形成され、この外側スリーブは、その内面に、前記内側スリーブの第２外面と連結する前記第２の連結手段を備え、上記両スリーブが互いに同軸にある請求項１に記載の流体操作ツール。
【請求項３】
前記中間エレメントが、リングとして形成され、このリングは、その内面に、前記内側スリーブの外面と連結する第５の連結手段を有し、しかもそのリングが、前記外側スリーブの端部と接して当該外側スリーブが中間エレメントに対して自在に回転できる端面を有する請求項２に記載の流体操作ツール。
【請求項４】
前記ハウジングが、非回転の突起を備え、このハウジングの突起に前記ソケットが回転不能に取り付けられた請求項２に記載の流体操作ツール。
【請求項５】
前記ソケットが、前記内側スリーブと前記外側スリーブの半径方向外側に配置された請求項２に記載の流体操作ツール。
【発明の詳細な説明】
【０００１】
【発明の属する技術分野】
本発明は特にねじ込みコネクタの伸張並びに弛緩用流体操作ツールに関するものである。
【０００２】
多くの変更例では流体操作レンチが知られている。いくつかの流体操作レンチは、水圧ドライブと、ねじ込みコネクタに連結してドライブにより駆動されることからドライブの作動によってドライブパートがねじ込みコネクタを回転するドライブパートと、さらにねじ込みコネクタの回転中に生じる力に反作用するのに適した反応（リアクション）パートとを含む。リアクションパートを備える理由はねじ込みコネクタの回転中、反対方向にツールを回転しようとする力が生じるからである。対応するリアクションパートにより実際にあるツールに起ったこの力を反作用する必要がある。例えばアメリカ特許番号第4,201,099号、第4,336,727号、第4,368,655号などに開示された流体操作ツールが知られており、リアクションパートはハウジングに備えられて締め付けられたり緩められたりするねじ込みコネクタの近くに配置された静止した目的物に接触しやすいよう接触エレメントで形成されている。
【０００３】
【発明が解決しようとする課題】
このようにリアクションパートがツールを反対方向に回転しようとする力に効果的な反作用を与える一方、ある不都合もある。それは１つにはリアクションパートにより目的物に接触するために常に隣り合う目的物を有する必要があることである。さらに水圧ドライブの動きをドライブパートに伝えるいくつかのパーツやまたドライブパートのパーツがこれらのパーツをブレークできる力にさらされるやり方でこれらの構成において、隣り合う目的物に対する接触が常に達成されることである。この様な流体操作ツールにはさらに変更や改良が望まれている。従って本発明は先行技術の不都合を回避する流体操作ツールを提供することを目的とする。
【０００４】
【課題を解決するための手段】
これらの目的と後に明らかになる別の目的を維持しながら、本発明の１つの特徴を簡単に述べると、本発明に係る流体操作ツールは、流体操作ドライブと、前記流体操作ドライブにより駆動される回転ツールエレメント（ドライブパート）と、前記流体操作ドライブを収容するハウジングと、前記ハウジングに回転不能に取り付けられた非回転ツールエレメント（リアクションパート）と、中間エレメントと、前記ハウジングに回転不能に取り付けられたソケットを備え、
前記非回転ツールエレメントは、ねじ込みコネクタと非回転で連結する第１の連結手段を備え、
前記回転ツールエレメントは、前記非回転ツールエレメントと連結する第２の連結手段を備えてねじ込みコネクタの軸の周囲を自在に回転でき、
前記中間エレメントは、前記の非回転ツールエレメントに係合してこれを非回転に保持すると共に、前記回転ツールエレメントを中間エレメントに対して回転自在に保持し、
前記ソケットは、前記中間エレメントと非回転で連結する第３の連結手段を備え、
しかも、前記の回転ツールエレメント、非回転ツールエレメント、中間エレメント及びソケットはすべて同軸であって、
前記流体操作ドライブによって回転ツールエレメントが前記の軸の周りを回転し、前記の非回転ツールエレメントが前記中間エレメント及びハウジングに連結されたソケットを介して非回転に保持された際に、前記の非回転ツールエレメントだけが軸方向に動いてねじ込みコネクタを軸方向に変位させる。
【０００５】
前記非回転ツールエレメントは、内側スリーブとして形成され、当該内側スリーブの内面には、ねじ込みコネクタの外面に連結する前記第１の連結手段が設けられる。この内側スリーブは第１外面と第２外面の２つの外面を持ち、その第１外面には、中間エレメントを非回転で連結する第４の連結手段が設けられる。一方、前記回転ツールエレメントは、外側スリーブとして形成され、当該外側スリーブの内面には、前記内側スリーブの第２外面に連結する前記第２の連結手段が設けられる。内側スリーブと外側スリーブとは、互いに同軸である。
前記中間エレメントは、リングとして形成され、その内面には、前記内側スリーブの前記外面に連結する第５の連結手段が設けられる。前記リングはさらに、前記外側スリーブの下方端部と接する端面を有し、前記外側スリーブはこの当接面において、中間エレメントに対して自在に回転することができる。
前記内側スリーブは、ツールの他のパーツと協働する面を多く備え、前記外側スリーブは、ツールの他のパーツと協働する面が少ない。
【０００６】
ツールのハウジングは、非回転の突起を有し、この突起には、前記中間エレメントを回転不能に保持するソケットが取り付けられる。そのソケットは、前記内側スリーブと前記外側スリーブの半径方向外側に配置される。
【０００７】
本発明に従って流体操作ツールを設計すると、先行技術の不利益を解消し、前述の非常に有益な結果を提供する。
本発明の特質と考えられる新規特徴を添付特許請求の範囲に別途記載する。しかし発明それ自体は、追加の目的やその利点とともに、その構成並びに操作方法と併せて、添付図面とともに下記の独特の実施例によりもっとも理解されるものである。
【０００８】
【発明の実施の形態】
以下図示の実施態様に基づき本発明を具体的に説明する。
本発明による流体操作ツールは、例えば、ねじ込みスタッド１などのねじ込みコネクタの伸張、弛緩に用いられる。流体操作ツールは符号２で示すハウジングを有する。このハウジングに収納される流体操作ドライブは、慣例とおり、シリンダ４と、作業流体メディアの作用のもとにシリンダ内を往復可動なピストン５と、シリンダ４を越えて外側に延びるピストンロッド６と、このビストンロッドにて回転させられる少なくとも１つのドライブプレート７とを備えている。
【０００９】
図１に示す流体操作ツールは、さらに符号１３で示す非回転のリアクションパートを有する。このリアクションパートは、例えば、ツールのハウジング２に非回転に設置され、外側スプラインを有する非回転の突起１４と、突起１４の外側スプラインに連結する内側スプラインを上部に備えた非回転の内側スリーブ１５とからなる。内側スリーブ１５は、例えば、スタッド１の外ねじ１’と連結するねじとして形成された第１の連結手段１６を内面に備えている。
【００１０】
流体操作ツールは、符号８で示す回転自在なツールエレメントを含むドライブパートをさらに備えている。回転自在なツールエレメント８は、ドライブプレート７上に旋回可能に取り付けられた爪にて、断続的に回転可能なラチェットホイール１１と同軸の突起１０に接続される外側スリーブ９として形成させることができる。この外側スリーブ９は、その内面に、第２の連結手段１７を備え、この第２の連結手段１７は、例えば、内側スリーブ１５の外面上にマッチングねじとして設けた第３の連結手段１８と連結可能なねじで構成することができる。ねじ１’と１６及び１７と１８は、互いにねじの向きが逆である。
【００１１】
流体操作ツールはさらに符号１９で示す中間エレメントを有する。中間エレメント１９はリングとして形成され、そのリングは、内側スリーブ１５の下方に設けた軸方向に延びる外側スプライン２１と連結する内側スプライン２０を備え、また上部端面２２を有する。図面に示す様に、内側スリーブ１５は、ツールの外のパーツと協働して摩擦を受ける５つの面、すなわち、内側スリーブの内面１６、外面１８、スプライン面２１、非回転の突起１４と協働するスプライン面、さらには、スタッド１がねじ込まれるフランジ（図示略）に接する内側スリーブの下部端面を有している。
これと対照的に、外側スリーブ８で摩擦を受けるのは、次の３つの面だけである。すなわち、その内の面１７、突起１０と協働する面、中間エレメント１９の上部端面２２と接触する下部端面の３面だけが摩擦を受ける。
【００１２】
スタッド１に適用した流体操作ツールの作用は、内側スリーブ１５をスタッド１に係合させると、内側スリーブ１５は、ハウジング２の非回転突起１４と接続され、回転しないので、スタッドの回転は防止される。流体操作ドライブを作動させると、爪１２がラチェット１１を回転させ、次に突起１０にて外側スリーブ９を回転させる。外側スリーブ９は、その下方端面で中間エレメント１９の端面２２と接触し、中間エレメントに対して自在に回転する。一方、内側スリーブ１５は、突起１４により非回転の状態に維持され、外側スリーブ９の回転に応じて軸方向だけに動き、この結果、流体操作ドライブの作動方向に依存して、スタッド１を伸張又は弛緩するために、内側スリーブ１５がスタッド１を軸方向に変位させる。
【００１３】
本発明の別の実施態様による流体操作ツールを図３に示す。この例では、ツールのリアクションパートは、内側スリーブ１５'に加えて、さらに内側スプライン２４を持つソケット２３を備える。ソケット２３の内側スプラインは、例えば、ツールのハウジング２に回転不能に設置された非回転突起１４'の外側スプライン２５と連結する。ソケット２３は、その下方部分に、中間エレメント１９の外側スプライン２７と連結する内側スプライン２６を有している。内側スリーブ１５'は、図２のツールのように、別のパートと連結する上部パートを持っていない。リアクションパートが、図３に示す実施態様に従って設計されるとき、内側スリーブ１５'は、スプライン２０、２１を介して中間エレメント１９と回転不能に連結されているので回転できず、中間エレメント１９は、さらにスプライン２６、２７を介してソケット２３と回転不能に連結され、ソケット２３はスプライン２４、２５を介してツールの非回転突起１４'と回転不能に連結されている。
【００１４】
図３の実施態様におけるツールのドライブパートは、外側スリーブ９’として形成された回転自在なツールエレメント８’を含む。この実施例では、外側スリーブ９’は、ラチェットホイール１１と同軸の突起１０’に設けた外側スプライン２９と連結する内側スプライン２８を有し、ラチェットホイール１１は、ドライブプレート７に設けた爪１２により断続的に回転する。
【００１５】
図３に示す実施態様の流体操作ツールの作用は、次のとおりである。内側スリーブ１５’をスタッド１に連結すると、当該スリーブは回転不能な中間エレメント１９と接続され、中間エレメント１９は、回転不能なソケット２３と接続されて、回転しないので、スタッド１の回転は阻止される。流体操作ドライブを作動させると、爪１２がラチェット１１を回転させ、このラチェットが突起１０’にて外側スリーブ９’を回転させる。外側スリーブ９’は、その下方端面で、中間エレメント１９の端面２２に接触し、中間エレメントに対して自在に回転する。一方、内側スリーブ１５’は回転せず、外側スリーブ９’の回転に応じて軸方向に動き、この結果、流体操作ドライブの作動方向に依存して、スタッド１を伸張又は弛緩するために、内側スリーブ１５’がスタッド１を軸方向に変位させる。
【００１６】
ねじ込みコネクタを伸張弛緩する流体操作ツールの一実施態様として、本発明を図示説明したが、本発明の目的から逸脱しないかぎり様々な変更並びに構造上の変化がなされるので、本発明は図示した詳細に限定するものではない。
【００１７】
【発明の効果】
上記のように、本発明によれば、回転自在なツールエレメントは、ねじ込みコネクタの軸の周りを回転し、非回転のツールエレメントは、軸方向に移動するだけで回転しないことから、スタッドのごときねじ込みコネクタを軸方向に変位させてコネクタを容易に伸張または弛緩することができる。
【図面の簡単な説明】
【図１】  本発明の一実施態様による流体操作ツールの側面図である。
【図２】  図１における流体操作ツールの平面図である。
【図３】  本発明の別の実施態様による流体操作ツールである。
【符号の説明】
１  スタッド
１’  ねじ
２  ハウジング
４  シリンダ
５  ピストン
６  ピストンロッド
７  ドライブプレート
８  ツールエレメント
９  外側スリーブ
１０  突起
１１  ラチェットホイール
１２  爪
１３  リアクションパート
１４  突起
１５  内側スリーブ
１６  第１の連結手段
１７  第２連結手段
１８  ねじ
１９  中間エレメント
２０  内側スプライン
２１  外側スプライン
２２  上部端面
２３  ソケット
２４  内側スプライン
２５  スプライン
２６  内側スプライン
２７  外側スプライン
【図１】
0003936409.tif 000002
【図２】
0003936409.tif 000003
【図３】
0003936409.tif 000004